(57)【要約】【課題】  効果的な干渉信号の知識や情報によって、演算量の増加を抑えつつ干渉を軽減すること【解決手段】  少なくとも下りリンク共有チャネルからの干渉信号を低減するために前記端末装置に用いられる支援情報を、前記基地局装置から上位層で設定される端末装置であって、前記支援情報の一部及び自端末装置の情報の少なくともどちらかに基づき、前記干渉信号がセル内干渉であるかセル間干渉であるかを判断する。【選択図】図３
2017183761.tif 000002
【特許請求の範囲】
【請求項１】
基地局装置と通信する端末装置であって、
少なくとも下りリンク共有チャネルからの干渉信号を低減するために前記端末装置に用いられる支援情報を、前記基地局装置から上位層で設定される端末装置であって、
前記支援情報の一部及び自端末装置の情報の少なくともどちらかに基づき、前記干渉信号がセル内干渉であるかセル間干渉であるかを判断する端末装置。
【請求項２】
前記自端末装置の情報である下りリンク制御情報に含まれるレイヤ数が３以上の場合、前記干渉信号においてセル内間干渉を想定しないと判断し、サービングセルの物理セル識別子とは異なる物理セル識別子と関連付けられた前記支援情報に基づいて、干渉信号を除去または抑圧する請求項１に記載の端末装置。
【請求項３】
前記自端末装置の情報である下りリンク制御情報に含まれるレイヤ数が２で、１コードワードで送信されている場合、前記干渉信号においてセル内干渉を想定しないと判断し、サービングセルの物理セル識別子とは異なる物理セル識別子と関連付けられた前記支援情報に基づいて、干渉信号を除去または抑圧する請求項１に記載の端末装置。
【請求項４】
前記自端末装置の情報であるサービングセルの物理セル識別子と前記支援情報に関連付けられる物理セル識別子が同じ場合、前記干渉信号はセル内干渉と想定して、干渉信号を除去または抑圧する請求項１に記載の端末装置。
【請求項５】
前記自端末装置の情報であるサービングセルの下りリンク共有チャネルに関連付けられる端末固有参照信号に対応する擬似ランダム系列の初期値を構成する変数のうちのセル識別子に関連する第１の変数と、前記支援情報に基づいて想定される下りリンク共有チャネルに関連付けられる端末固有参照信号に対応する擬似ランダム系列の初期値を構成する第１の変数が同じ場合、前記干渉信号はセル内干渉と想定して、干渉信号を除去または抑圧する請求項１に記載の端末装置。
【請求項６】
前記自端末装置の情報であるサービングセルの下りリンク共有チャネルに関連付けられる端末固有参照信号に対応する擬似ランダム系列の初期値と、前記支援情報に基づいて想定される下りリンク共有チャネルに関連付けられる端末固有参照信号に対応する擬似ランダム系列の初期値が同じ場合、前記干渉信号はセル内干渉と想定して、干渉信号を除去または抑圧する請求項１に記載の端末装置。
【請求項７】
前記自端末装置の情報として、前記マルチユーザＭＩＭＯされていることを示すシグナリングを受信する請求項１に記載の端末装置。
【請求項８】
前記自端末装置の情報を、非直交アクセスに対応する下りリンク制御情報フォーマットで下りリンク制御情報で受信する請求項１に記載の端末装置。
【請求項９】
前記下りリンク制御情報フォーマットには、少なくとも電力制御に関する情報を含む請求項８に記載の端末装置。
【請求項１０】
端末装置と通信する基地局装置であって、
少なくとも下りリンク共有チャネルからの干渉信号を低減するために前記端末装置に用いられる支援情報として、前記端末装置に対し、セル内干渉が到来している旨を示す情報を送信する基地局装置。
【請求項１１】
前記セル内干渉が到来している旨を示す情報として、マルチユーザＭＩＭＯであることを示す情報を送信する請求項１０に記載の基地局装置。
【請求項１２】
前記セル内干渉が到来している旨を示す情報として、非直交アクセスに対応する下りリンク制御情報フォーマットで、下りリンク制御情報を送信する請求項１０に記載の基地局装置。
【請求項１３】
前記下りリンク制御情報フォーマットには、少なくとも多重している端末装置の電力制御に関する情報を含める請求項１２に記載の基地局装置。
【請求項１４】
前記電力制御に関する情報は、干渉信号の電力制御に関する情報である請求項１３に記載の基地局装置。
【請求項１５】
基地局装置と通信する端末装置における通信方法であって、
少なくとも下りリンク共有チャネルからの干渉信号を低減するために前記端末装置に用いられる支援情報を、前記基地局装置から受信するステップと、
前記支援情報の一部及び自端末装置の情報の少なくともどちらかに基づき、前記干渉信号がセル内干渉であるかセル間干渉であるかを判断するステップと、を有する通信方法。
【請求項１６】
端末装置と通信する基地局装置における通信方法であって、
少なくとも下りリンク共有チャネルからの干渉信号を低減するために前記端末装置に用いられる支援情報として、前記端末装置に対し、セル内干渉が到来している旨を示す情報を送信するステップを有する通信方法。
【発明の詳細な説明】
【技術分野】
【０００１】
本発明は、端末装置、基地局装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）やＷｉＭＡＸ（Worldwide Interoperability for Microwave Access）のような通信システムでは、基地局装置（基地局、送信局、送信点、下りリンク送信装置、上りリンク受信装置、送信アンテナ群、送信アンテナポート群、コンポーネントキャリア、ｅＮｏｄｅＢ）或いは基地局装置に準じる送信局がカバーするエリアをセル（Cell）状に複数配置するセルラ構成とすることにより、通信エリアを拡大することができる。このセルラ構成において、隣接するセルまたはセクタ間で同一周波数を利用することで、周波数利用効率を向上させることができる。
【０００３】
しかし、このようなセルラ構成では、セル端（セルエッジ）領域またはセクタ端領域にいる端末装置（移動局装置、受信局、受信点、上りリンク送信装置、下りリンク受信装置、移動端末、受信アンテナ群、受信アンテナポート群、ＵＥ；Ｕｓｅｒ  Ｅｑｕｉｐｍｅｎｔ）は、他セルや他セクタを構成する基地局装置の送信信号により干渉を受けるため（セル間干渉、セクタ間干渉）、周波数利用効率が低くなるという問題がある。
【０００４】
セル間干渉、セクタ間干渉のための対策として、端末装置の受信能力の高度化（Advanced Receiver）がある。例えば、非特許文献１では、高度な受信機として、ＭＭＳＥ−ＩＲＣ受信機（Minimum Mean Square Error-Interference Rejection Combining）、干渉キャンセル受信機（Interference cancellation Receiver）、干渉抑圧受信機（Interference Suppression Receiver）、ＭＬＤ受信機（Maximal Likelihood Detection Receiver）などが示されている。これにより、セル間干渉等による制限を緩和できるため、周波数利用効率の改善を図ることができる。
【０００５】
前記通信システムでは、効率的なデータ伝送を実現するため、空間多重伝送（ＭＩＭＯ：Multi Input Multi Output）が適用される。前記高度な受信機は、空間多重伝送において発生するストリーム間干渉（レイヤ間干渉、アンテナ間干渉）の抑圧のために用いることで、周波数利用効率の改善を図ることができる。
【先行技術文献】
【非特許文献】
【０００６】
【非特許文献１】“Ｓｔｕｄｙ  ｏｎ  Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ  ｆｏｒ  ＬＴＥ，”  ３ＧＰＰ  ＴＳＧ  ＲＡＮ  Ｍｅｅｔｉｎｇ  ＃５９，ＲＰ−１３０４０４，２０１３年  ３月。
【発明の概要】
【発明が解決しようとする課題】
【０００７】
前記高度な受信機は、干渉を軽減するために、干渉信号に関する知識や情報（例えば復調のためのパラメータ）が必要になる。しかしながら、基地局装置が端末装置に対して、干渉信号に関する知識や情報を送信することは、シグナリングのオーバーヘッドが増加するという問題がある。また、基地局装置が端末装置に対して、干渉信号に関する知識や情報が少なければ、端末装置側で干渉信号の情報を推定する必要があり、端末装置の演算量が増加するという問題がある。
【０００８】
本発明は、このような事情を鑑みてなされたものであり、その目的は、効果的な干渉信号の知識や情報によって、演算量の増加を抑えつつ干渉を軽減することができる端末装置、基地局装置及び通信方法を提供することにある。
【課題を解決するための手段】
【０００９】
上述した課題を解決するために本発明に係る端末装置、基地局装置および通信方法の構成は、次の通りである。
【００１０】
本発明の端末装置は、基地局装置と通信する端末装置であって、少なくとも下りリンク共有チャネルからの干渉信号を低減するために前記端末装置に用いられる支援情報を、前記基地局装置から上位層で設定される端末装置であって、前記支援情報の一部及び自端末装置の情報の少なくともどちらかに基づき、前記干渉信号がセル内干渉であるかセル間干渉であるかを判断する。
【００１１】
また本発明の端末装置において、前記自端末装置の情報である下りリンク制御情報に含まれるレイヤ数が３以上の場合、前記干渉信号においてセル内間干渉を想定しないと判断し、サービングセルの物理セル識別子とは異なる物理セル識別子と関連付けられた前記支援情報に基づいて、干渉信号を除去または抑圧する。
【００１２】
また本発明の端末装置において、前記自端末装置の情報である下りリンク制御情報に含まれるレイヤ数が２で、１コードワードで送信されている場合、前記干渉信号においてセル内干渉を想定しないと判断し、サービングセルの物理セル識別子とは異なる物理セル識別子と関連付けられた前記支援情報に基づいて、干渉信号を除去または抑圧する。
【００１３】
また、本発明の端末装置において、前記自端末装置の情報であるサービングセルの物理セル識別子と前記支援情報に関連付けられる物理セル識別子が同じ場合、前記干渉信号はセル内干渉と想定して、干渉信号を除去または抑圧する。
【００１４】
また、本発明の端末装置において、前記自端末装置の情報であるサービングセルの下りリンク共有チャネルに関連付けられる端末固有参照信号に対応する擬似ランダム系列の初期値を構成する変数のうちのセル識別子に関連する第１の変数と、前記支援情報に基づいて想定される下りリンク共有チャネルに関連付けられる端末固有参照信号に対応する擬似ランダム系列の初期値を構成する第１の変数が同じ場合、前記干渉信号はセル内干渉と想定して、干渉信号を除去または抑圧する。
【００１５】
また、本発明の端末装置において、前記自端末装置の情報であるサービングセルの下りリンク共有チャネルに関連付けられる端末固有参照信号に対応する擬似ランダム系列の初期値と、前記支援情報に基づいて想定される下りリンク共有チャネルに関連付けられる端末固有参照信号に対応する擬似ランダム系列の初期値が同じ場合、前記干渉信号はセル内干渉と想定して、干渉信号を除去または抑圧する。
【００１６】
また、本発明の端末装置において、前記自端末装置の情報として、前記マルチユーザＭＩＭＯされていることを示すシグナリングを受信する。
【００１７】
また、本発明の端末装置において、前記自端末装置の情報を、非直交アクセスに対応する下りリンク制御情報フォーマットで下りリンク制御情報で受信する。
【００１８】
また、本発明の端末装置において、前記下りリンク制御情報フォーマットには、少なくとも電力制御に関する情報を含む。
【００１９】
また、本発明の基地局装置は、端末装置と通信する基地局装置であって、前記端末装置に対し、セル内干渉が到来している旨を示す情報を送信する。
【００２０】
また、本発明の基地局装置において、前記セル内干渉が到来している旨を示す情報として、マルチユーザＭＩＭＯであることを示す情報を送信する。
【００２１】
また、本発明の基地局装置において、前記セル内干渉が到来している旨を示す情報として、非直交アクセスに対応する下りリンク制御情報フォーマットで、下りリンク制御情報を送信する。
【００２２】
また、本発明の基地局装置において、前記下りリンク制御情報フォーマットには、少なくとも多重している端末装置の電力制御に関する情報を含める。
【００２３】
また、本発明の基地局装置において、前記電力制御に関する情報は、干渉信号の電力制御に関する情報である。
【００２４】
また、本発明の通信方法は、基地局装置と通信する端末装置における通信方法であって、少なくとも下りリンク共有チャネルからの干渉信号を低減するために前記端末装置に用いられる支援情報を、前記基地局装置から受信するステップと、前記支援情報の一部及び自端末装置の情報の少なくともどちらかに基づき、前記干渉信号がセル内干渉であるかセル間干渉であるかを判断するステップと、を有する。
【００２５】
また、本発明の通信方法は、端末装置と通信する基地局装置における通信方法であって、前記端末装置に対し、セル内干渉が到来している旨を示す情報を送信するステップを有する。
【発明の効果】
【００２６】
本発明によれば、干渉信号が到来する無線環境において、演算量の増加を抑えつつ干渉を効果的に軽減することができるようになる。
【図面の簡単な説明】
【００２７】
【図１】本実施形態に係る通信システムの例を示す図である
【図２】本実施形態に係る基地局装置の構成例を示すブロック図である
【図３】本実施形態に係る端末装置の構成例を示すブロック図である
【発明を実施するための形態】
【００２８】
本実施形態における通信システムは、基地局装置（送信装置、セル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。
【００２９】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００３０】
図１は、本実施形態に係る通信システムの例を示す図である。図１に示すように、本実施形態における通信システムは、基地局装置１Ａ、１Ｂ、端末装置２Ａ、２Ｂ、２Ｃを備える。また、カバレッジ１−１は、基地局装置１Ａが端末装置と接続可能な範囲（通信エリア）である。またカバレッジ１−２は、基地局装置１Ｂが端末装置と接続可能な範囲（通信エリア）である。以下では、端末装置２Ａ、２Ｂを端末装置２とも記載する。
【００３１】
図１において、基地局装置１Ａが端末装置２Ａと端末装置２Ｂとを空間多重する場合や、端末装置２が基地局装置１Ｂからセル間干渉を受ける場合、端末装置２における受信信号は、自端末装置（第１の端末装置とも称する）宛の所望信号と、干渉となる端末装置（第２の端末装置とも称する）宛の信号とが含まれる。具体的には、端末装置２Ａにおける受信信号は、基地局装置１Ａから送信された自端末装置宛の所望信号と端末装置２Ｂ宛の信号及び基地局装置１Ｂから送信された端末装置２Ｃ宛の信号である干渉信号とが含まれる。また、端末装置２Ｂにおける受信信号は、基地局装置１Ａから送信された自端末装置宛の所望信号と端末装置２Ａ宛の信号及び基地局装置１Ｂから送信された端末装置２Ｃ宛の信号である干渉信号とが含まれる。
【００３２】
このように、本実施形態では、基地局装置が複数の端末装置を空間多重することによって、端末装置がユーザ間干渉を受ける場合や他の基地局装置からセル間干渉を受ける場合であればよく、図１の通信システムに限定されない。また、ユーザ間干渉とセル間干渉は同時に受ける必要はなく、ユーザ間干渉のみを受ける場合やセル間干渉のみを受ける場合のどちらも本発明に含まれる。
【００３３】
図１において、端末装置２から基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３４】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ）を含む。下りリンクデータに対するＡＣＫ／ＮＡＣＫを、ＨＡＲＱ−ＡＣＫ、ＨＡＲＱフィードバックとも称する。
【００３５】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。前記チャネル状態情報は、好適な空間多重数を指定するランク指標ＲＩ、好適なプレコーダを指定するプレコーディング行列指標ＰＭＩ、好適な伝送レートを指定するチャネル品質指標ＣＱＩなどが該当する。
【００３６】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（code rate）とすることができる。ＣＱＩ値は、前記変更方式や符号化率により定められたインデックス（CQI Index）とすることができる。前記ＣＱＩ値は、予め当該システムで定めたものをすることができる。
【００３７】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００３８】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００３９】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００４０】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００４１】
ＰＲＡＣＨは、ランダムアクセスプリアンブルを送信するために用いられる。
【００４２】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００４３】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００４４】
図１において、基地局装置１Ａから端末装置２への下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００４５】
ＰＢＣＨは、端末装置２で共通に用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、ＯＦＤＭシンボルの数）を指示する情報を送信するために用いられる。
【００４６】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２は、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２はＡＣＫを上位レイヤに通知する。
【００４７】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００４８】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００４９】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００５０】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００５１】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００５２】
また、上りリンクに対するＤＣＩフォーマットは、下りリンクのチャネル状態情報（ＣＳＩ；Channel State Information。受信品質情報とも称する。）を要求（CSI request）するために用いることができる。チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。
【００５３】
また、上りリンクに対するＤＣＩフォーマットは、端末装置が基地局装置にフィードバックするチャネル状態情報報告(CSI feedback report)をマップする上りリンクリソースを示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５４】
例えば、チャネル状態情報報告は、不定期なチャネル状態情報（Aperiodic CSI）を報告する上りリンクリソースを示す設定のために用いることができる。チャネル状態情報報告は、不定期的にチャネル状態情報を報告するモード設定（CSI report mode）のために用いることができる。基地局装置１Ａ、１Ｂは、前記定期的なチャネル状態情報報告又は前記不定期的なチャネル状態情報報告のいずれかを設定することができる。また、基地局装置１Ａ、１Ｂは、前記定期的なチャネル状態情報報告及び前記不定期的なチャネル状態情報報告の両方を設定することもできる。
【００５５】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００５６】
また、前記上りリンクに対するＤＣＩフォーマットにおいて、前記定期的なチャネル状態情報報告又は前記不定期的なチャネル状態情報報告と前記チャネル状態情報報告の種類を含めたモード設定のために用いることができる。例えば、不定期的なチャネル状態情報報告かつ広帯域ＣＳＩを報告するモード、不定期的なチャネル状態情報報告かつ狭帯域ＣＳＩを報告するモード、不定期的なチャネル状態情報報告かつ広帯域ＣＳＩ及び狭帯域ＣＳＩを報告するモード、定期的なチャネル状態情報報告かつ広帯域ＣＳＩを報告するモード、定期的なチャネル状態情報報告かつ狭帯域ＣＳＩを報告するモード、定期的なチャネル状態情報報告かつ広帯域ＣＳＩ及び狭帯域ＣＳＩを報告するモードなどがある。
【００５７】
端末装置２は、下りリンクアサインメントを用いてＰＤＳＣＨのリソースがスケジュールされた場合、スケジュールされたＰＤＳＣＨで下りリンクデータを受信する。また、端末装置２は、上りリンクグラントを用いてＰＵＳＣＨのリソースがスケジュールされた場合、スケジュールされたＰＵＳＣＨで上りリンクデータおよび／または上りリンク制御情報を送信する。
【００５８】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００５９】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００６０】
また、ＰＤＳＣＨは、ＲＲＣメッセージを送信するために用いられる。ここで、基地局装置１Ａから送信されるＲＲＣメッセージは、セル内における複数の端末装置２に対して共通であっても良い。また、基地局装置１Ａから送信されるＲＲＣメッセージは、ある端末装置２に対して専用のメッセージ（dedicated signalingとも称する）であっても良い。すなわち、ユーザ装置スペシフィック（ユーザ装置固有）な情報は、ある端末装置２に対して専用のメッセージを使用して送信される。また、ＰＤＳＣＨは、ＭＡＣ  ＣＥを送信するために用いられる。
【００６１】
ここで、ＲＲＣメッセージおよび／またはＭＡＣ  ＣＥを、上位層の信号（higher layer signaling）とも称する。
【００６２】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００６３】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対して１つのチャネル状態情報を算出する。狭帯域ＣＳＩは、システム帯域を所定の単位に区分し、その区分に対して１つのチャネル状態情報を算出する。
【００６４】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００６５】
同期信号は、端末装置２が、下りリンクの周波数領域および時間領域の同期を取るために用いられる。また、下りリンク参照信号は、端末装置２が、下りリンク物理チャネルの伝搬路補正を行なうために用いられる。例えば、下りリンク参照信号は、端末装置２が、下りリンクのチャネル状態情報を算出するために用いられる。
【００６６】
ここで、下りリンク参照信号には、ＣＲＳ（Cell-specific Reference Signal;
セル固有参照信号）、ＰＤＳＣＨに関連するＵＲＳ（UE-specific Reference Signal；端末固有参照信号）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００６７】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００６８】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００６９】
ＮＺＰ  ＣＳＩ−ＲＳのリソースは、基地局装置１Ａによって設定される。例えば、端末装置２は、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２は、ＮＺＰ  ＣＳＩ−ＲＳが対応するリソースにおいて干渉の測定を行なう。
【００７０】
ＺＰ  ＣＳＩ−ＲＳのリソースは、基地局装置１Ａ、が設定する。基地局装置１Ｂは、ＺＰ  ＣＳＩ−ＲＳをゼロ出力で送信する。つまり、基地局装置１Ａは、ＺＰ  ＣＳＩ−ＲＳを送信しない。基地局装置１Ｂは、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置２Ｃは、干渉を測定することができる。
【００７１】
ＭＢＳＦＮ（Multimedia Broadcast multicast service Single Frequency Network）  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信に用いられるアンテナポートで送信される。
【００７２】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００７３】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００７４】
端末装置は、ユーザ間干渉やセル間干渉を除去または抑圧する機能を備えることができる。このような技術は、３ＧＰＰ（3rd Generation Partnership Project）でＮＡＩＣＳ（Network Assisted Interference Cancellation and Suppression）として検討されている。ＮＡＩＣＳでは、基地局装置は、端末装置が干渉信号のハンドリング、除去または抑圧のために用いるＮＡＩＣＳアシスト情報（支援情報、第１の支援情報とも呼ぶ）を送信する。端末装置はＮＡＩＣＳアシスト情報を受信し、ＮＡＩＣＳアシスト情報に基づいて、干渉信号の除去または抑圧するためのパラメータを検出し、前記パラメータを用いて干渉信号を除去または抑圧する。ＮＡＩＣＳアシスト情報には、セルＩＤ、ＣＲＳアンテナポート数、ＭＢＳＦＮサブフレーム設定リスト、ＰＢ、仮想セルＩＤ（virtual cell ID）、スクランブリングアイデンティティ（nSCID）、ＰＡ、送信モード、ＱＣＬ情報（quasi co-location information）、ＺＰ／ＮＺＰ  ＣＳＩ−ＲＳ構成、ＰＤＳＣＨスタート位置（PDSCH starting position）、ＴＤＤ  ＵＬ／ＤＬ  構成、プリコーディング行列指標／ランク指標、変調方式、リソース割当て情報の一部または全てが含まれる。
【００７５】
なお、ＰＡは、ＣＲＳが配置されていないＯＦＤＭシンボルにおけるＰＤＳＣＨとＣＲＳの電力比である。ＰＢは、ＣＲＳが配置されているＯＦＤＭシンボルにおけるＰＤＳＣＨとＣＲＳが配置されていないＯＦＤＭシンボルにおけるＰＤＳＣＨの電力比を表す。ＱＣＬ情報は、所定のアンテナポート、所定の信号、または所定のチャネルに対するＱＣＬに関する情報である。２つのアンテナポートにおいて、一方のアンテナポート上のシンボルが搬送されるチャネルの長区間特性が、もう一方のアンテナポート上のシンボルが搬送されるチャネルから推測できる場合、それらのアンテナポートはＱＣＬであると呼称される。長区間特性は、遅延スプレッド、ドップラースプレッド、ドップラーシフト、平均利得および／または平均遅延を含む。すなわち、２つのアンテナポートがＱＣＬである場合、端末装置はそれらのアンテナポートにおける長区間特性が同じであると見なすことができる。
【００７６】
ＮＡＩＣＳの機能として、基地局装置側で複数の端末装置宛の信号を空間多重するＭＵ−ＭＩＭＯ（Multi-user Multiple Input Multiple Output）や非直交アクセスが含まれる場合、基地局装置は、ＭＵ−ＭＩＭＯや非直交アクセスに関する情報もＮＡＩＣＳアシスト情報に含めることができる。なお、ＭＵ−ＭＩＭＯや非直交アクセスおけるユーザ間干渉はセル内干渉とも呼ぶ。
【００７７】
非直交アクセスは、例えば、各端末装置宛の信号に異なる送信電力を割当て、自端末装置宛の信号よりも他端末装置宛の信号（つまり干渉信号）の送信電力又は受信電力が大きい場合、端末装置は、ＮＡＩＣＳによる干渉信号を除去または抑圧する。一方、自端末装置宛の信号よりも干渉信号の送信電力又は受信電力が小さい場合、必ずしもＮＡＩＣＳによる干渉信号の除去または抑圧を行わない（行っても良い）。
【００７８】
ＭＵ−ＭＩＭＯや非直交アクセスに関する情報は、例えば、基地局装置がＭＵ−ＭＩＭＯや非直交アクセスをサポートしているかどうか（例えば送信モード）、送信電力に関する情報である。
【００７９】
なお、上記のＮＡＩＣＳアシスト情報に含まれるパラメータの各々は、１つの値（候補）が設定されても良いし、複数の値（候補）が設定されてもよい。複数の値が設定される場合は、端末装置は、そのパラメータについては、干渉となる基地局装置が設定する可能性のある値が示されていると解釈し、複数の値から干渉信号に設定されているパラメータを検出する。また、上記ＮＡＩＣＳアシスト情報は、他の基地局装置の情報を示す場合もあるし、自らの基地局装置の情報を示す場合もある。
【００８０】
なお、上記のＮＡＩＣＳアシスト情報は、端末装置に対するＰＤＳＣＨを復調する時に、他の端末装置に対するＰＤＳＣＨからの干渉をハンドリング、除去または抑圧のために、その端末装置によって用いられる。そのため、ＮＡＩＣＳアシスト情報は、ＰＤＳＣＨ干渉アシスト情報またはＰＤＳＣＨアシスト情報とも呼称される。ＮＡＩＣＳアシスト情報は、他の端末装置に対するＰＤＳＣＨのリソースエレメントに対するマッピングに関する情報を少なくとも含む。ＮＡＩＣＳアシスト情報は、様々な測定を行う時に用いられてもよい。測定は、ＲＲＭ（Radio Resource Management）測定、ＲＬＭ（Radio Link Monitoring）測定、ＣＳＩ（Channel State Information）測定を含む。
【００８１】
端末装置は、設定されたＮＡＩＣＳアシスト情報に基づいて、ＰＤＳＣＨ干渉を検出（特定）し、検出されたＰＤＳＣＨ干渉を低減する。ＮＡＩＣＳアシスト情報は、更新頻度が比較的長い準静的な制御情報を含め、更新頻度が比較的短い動的な制御情報を含めないようにしてもよい。準静的な制御情報は、セルＩＤ、ＣＲＳアンテナポート数、ＭＢＳＦＮサブフレームパターン、ＰＢ、仮想セルＩＤ（virtual cell ID）、スクランブリングアイデンティティ（nSCID）、ＰＡ、送信モード、ＱＣＬ情報（quasi co-location information）、ＺＰ／ＮＺＰ  ＣＳＩ−ＲＳ構成、ＰＤＳＣＨスタート位置（PDSCH starting position）、ＴＤＤ  ＵＬ／ＤＬ  構成などを含む。動的な制御情報は、プリコーディング行列指標／ランク指標、変調方式、リソース割当て情報などを含む。また、既に説明したように、ＮＡＩＣＳアシスト情報に含まれるパラメータの各々は、複数の値（候補）が設定されてもよい。そのため、ＮＡＩＣＳアシスト情報は、複数のＰＤＳＣＨ干渉の候補を示すための情報と見なすことができる。端末装置は、ＮＡＩＣＳアシスト情報に基づいて認識できるＰＤＳＣＨ干渉の候補に対して、順に検出を試みるブラインド検出を行うことができる。
【００８２】
これにより、端末装置は、ＮＡＩＣＳアシスト情報から検出したパラメータに基づいて、他の端末装置に対するＰＤＳＣＨによる干渉を低減できるため、自端末装置宛の信号を精度よく得ることができる。また、ＮＡＩＣＳアシスト情報が複数の候補を示す場合、基地局装置のスケジューリングに与える影響は低くすることができる。なお、端末装置は、アシスト情報として受信しなかったパラメータをブラインド検出してもよい。干渉信号の除去または抑圧は、線形検出、非線形検出を行うことができる。線形検出は、自端末装置宛の所望信号のチャネルと他端末装置宛の干渉信号のチャネルを考慮して検出することができる。このような線形検出はＥＬＭＭＳＥ−ＩＲＣ（Enhanced Linear Minimum Mean Square Error - Interference Rejection Combining）とも呼ばれる。また、非線形検出としては、干渉キャンセラや最尤検出をすることができる。
【００８３】
基地局装置は、ＮＡＩＣＳアシスト情報を、ＮＡＩＣＳアシスト情報リストとしてリスト化されて送信することができる。ＮＡＩＣＳアシスト情報リストには少なくとも１つのＮＡＩＣＳアシスト情報を含めることができる。また、ＮＡＩＣＳアシスト情報リストは、隣接セルＮＡＩＣＳ情報（第１の干渉情報とも呼ぶ）として送信することができる。なお、ＮＡＩＣＳアシスト情報リストは、ＰＤＳＣＨアシスト情報リストと呼称してもよい。また、隣接セルＮＡＩＣＳ情報は、隣接セルＰＤＳＣＨ情報と呼称してもよい。
【００８４】
端末装置は、他の基地局装置から送信されるＣＲＳが干渉となる場合に、基地局装置から上位層の信号で送信されるＣＲＳアシスト情報（第２の支援情報とも呼ぶ）を用いて、他基地局装置のＣＲＳから受ける干渉を軽減することができる。ＣＲＳアシスト情報は、他の基地局装置の情報であり、セルＩＤ、ＣＲＳのアンテナポート数、ＭＢＳＦＮサブフレーム設定リストを含む。
【００８５】
また、ＣＲＳアシスト情報は、ＣＲＳアシスト情報リストによってリスト化されて送信される。ＣＲＳアシスト情報リストには、少なくとも１つのＣＲＳアシスト情報が含まれる。また、ＣＲＳアシスト情報リストは、隣接セルＣＲＳ情報（第２の干渉情報とも呼ぶ）として送信される。
【００８６】
なお、ＣＲＳアシスト情報は、端末装置に対するＰＤＳＣＨを復調する時に、他セル（隣接セル）のＣＲＳからの干渉をハンドリング、除去または抑圧のために、その端末装置によって用いられる。ＣＲＳアシスト情報は、様々な測定を行う時に用いられてもよい。測定は、ＲＲＭ（Radio Resource Management）測定、ＲＬＭ（Radio Link Monitoring）測定、ＣＳＩ（Channel State Information）測定を含む。
【００８７】
なお、ＮＡＩＣＳアシスト情報は、端末装置が、ＰＤＳＣＨ干渉のみならず、ＣＲＳ干渉やその他のチャネルの干渉をハンドリングする場合にも用いることができる。
【００８８】
図２は、本実施形態における基地局装置１Ａの構成を示す概略ブロック図である。図２に示すように、基地局装置１Ａは、上位層処理部１０１、制御部１０２、送信部１０３、受信部１０４と送受信アンテナ１０５を含んで構成される。また、上位層処理部１０１は、無線リソース制御部１０１１、スケジューリング部１０１２を含んで構成される。また、送信部１０３は、符号化部１０３１、変調部１０３２、下りリンク参照信号生成部１０３３、多重部１０３４、無線送信部１０３５を含んで構成される。また、受信部１０４は、無線受信部１０４１、多重分離部１０４２、復調部１０４３、復号部１０４４を含んで構成される。
【００８９】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００９０】
上位層処理部１０１は、端末装置の機能（UE capability）等、端末装置に関する情報を端末装置から受信する。言い換えると、端末装置は、自身の機能を基地局装置に上位層の信号で送信する。
【００９１】
端末装置の機能には、ＮＡＩＣＳをサポートしているかどうかを示すパラメータを含めることができる。ＮＡＩＣＳに複数の機能がある場合、端末装置は、各々の機能についてサポートしているかどうかを個別のパラメータで基地局装置に送信することができる。例えば、ＮＡＩＣＳとしてＰＤＳＣＨ干渉ハンドリングとＣＲＳ干渉ハンドリングの２つの機能が含まれている場合、端末装置は、ＰＤＳＣＨ干渉ハンドリングをサポートしているかどうかを示す信号、ＣＲＳ干渉ハンドリングをサポートしているかどうかを示す信号を基地局装置に送信することができる。また、例えば、ＮＡＩＣＳとしてＭＵ−ＭＩＭＯや非直交アクセス等、ユーザ間干渉を除去または抑圧する機能が含まれている場合、ユーザ間干渉ハンドリングをサポートしているかどうかを示す信号を基地局装置に送信することができる。ユーザ間干渉ハンドリングは、ＰＤＳＣＨ干渉ハンドリングに含まれる機能としてもよい。つまり、ＰＤＳＣＨ干渉ハンドリングをサポートしている端末装置は、セル間干渉及びユーザ間干渉をハンドリングする機能を有していることを想定することができる。
【００９２】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【００９３】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００９４】
上位層処理部１０１は、ＮＡＩＣＳアシスト情報を設定するか否か、ＣＲＳアシスト情報を設定するか否かを判断する。基地局装置は、上記端末装置の機能からＮＡＩＣＳアシスト情報を設定するか否かを判断することができる。
【００９５】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置２の各種設定情報の管理をする。この設定情報には、干渉となる端末装置の設定情報を含めることができる。もしくは、自端末装置の設定情報から干渉となる端末装置の設定情報が取得できるようになっている。また、干渉となる基地局装置の設定情報を含めることができる。
【００９６】
スケジューリング部１０１２は、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【００９７】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。本実施形態では、一例として、スケジューリング部１０１２は、端末装置２Ａおよび端末装置２Ｂを同じリソースにスケジューリングする。なお、本実施形態では簡単のため、同じリソースとしたが、異なるリソースにスケジューリングしてもよい。なお、基地局装置１Ｂと協調してスケジューリングすることもできる。
【００９８】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【００９９】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【０１００】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【０１０１】
下りリンク参照信号生成部１０３３は、基地局装置１Ａを識別するための物理セル識別子（Physical cell identity:ＰＣＩ、セルＩＤ）などを基に予め定められた規則で求まる、端末装置２が既知の系列を下りリンク参照信号として生成する。
【０１０２】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【０１０３】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【０１０４】
受信部１０４は、制御部１０２から入力された制御信号に従って、送受信アンテナ１０５を介して端末装置２から受信した受信信号を分離、復調、復号し、復号した情報を上位層処理部１０１に出力する。
【０１０５】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１０６】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【０１０７】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【０１０８】
また、多重分離部１０４２は、ＰＵＣＣＨとＰＵＳＣＨの伝搬路の補償を行なう。また、多重分離部１０４２は、上りリンク参照信号を分離する。
【０１０９】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１１０】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１１１】
図３は、本実施形態における端末装置２の構成を示す概略ブロック図である。図３に示すように、端末装置２は、上位層処理部２０１、制御部２０２、送信部２０３、受信部２０４、チャネル状態情報生成部２０５と送受信アンテナ２０６を含んで構成される。また、上位層処理部２０１は、無線リソース制御部２０１１、スケジューリング情報解釈部２０１２を含んで構成される。また、送信部２０３は、符号化部２０３１、変調部２０３２、上りリンク参照信号生成部２０３３、多重部２０３４、無線送信部２０３５を含んで構成される。また、受信部２０４は、無線受信部２０４１、多重分離部２０４２、信号検出部２０４３を含んで構成される。
【０１１２】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１１３】
上位層処理部２０１は、自端末装置がサポートしている端末装置の機能を示す情報を、送信部２０３に出力する。
【０１１４】
無線リソース制御部２０１１は、自端末装置の各種設定情報の管理をする。また、無線リソース制御部２０１１は、上りリンクの各チャネルに配置される情報を生成し、送信部２０３に出力する。
【０１１５】
無線リソース制御部２０１１は、基地局装置から送信されたＣＳＩフィードバックに関する設定情報を取得し、制御部２０２に出力する。
【０１１６】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１１７】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１１８】
制御部２０２は、チャネル状態情報生成部２０５が生成したＣＳＩを基地局装置に送信するように送信部２０３を制御する。
【０１１９】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。受信部２０４は、受信信号に含まれる、基地局装置１Ａに対応する参照信号（第１の参照信号とも呼ぶ）と、基地局装置１Ａから設定された干渉情報に基づく参照信号（第２の参照信号とも呼ぶ）を受信し、チャネル状態情報生成部２０５に出力する。
【０１２０】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１２１】
また、無線受信部２０４１は、変換したディジタル信号からＣＰに相当する部分を除去し、ＣＰを除去した信号に対して高速フーリエ変換を行い、周波数領域の信号を抽出する。
【０１２２】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１２３】
信号検出部２０４３は、ＰＤＳＣＨ、チャネル推定値を用いて、信号検出し、上位層処理部２０１に出力する。上位層で、ＮＡＩＣＳが設定されている場合、干渉信号の除去または抑圧を行って、信号検出する。干渉信号の除去または抑圧としては、例えば、干渉信号のチャネル推定値を考慮する線形検出や、干渉信号のチャネル推定値や変調方式を考慮する干渉キャンセルまたは最尤検出を行う。
【０１２４】
信号検出部２０４３は、上位層でＮＡＩＣＳアシスト情報が設定されている場合、干渉チャネルの推定及び／又は干渉信号の復調に必要なパラメータを検出（特定）する。ＮＡＩＣＳアシスト情報で複数の値が設定されているパラメータについては、複数の値を候補とし、干渉信号に設定されている値をブラインド検出する。また、ＮＡＩＣＳアシスト情報で設定されていないパラメータは、システムで設定される可能性のある値を候補とし、干渉信号に設定されている値をブラインド検出してもよい。信号検出部２０４３は、検出したパラメータを用いてＰＤＳＣＨ／ＣＲＳの干渉信号を除去または抑圧する。
【０１２５】
ただし、干渉信号のパラメータを検出することは、端末装置の演算量が増加するため、必要な情報のみを検出することが望ましい。復調するために必要な情報は、自端末装置宛の信号のパラメータや干渉信号に設定されている一部のパラメータによって、判断可能である。
【０１２６】
例えば、サービングセルから送信される下りリンク制御情報に含まれるレイヤ数が３以上の場合、ＮＡＩＣＳアシスト情報が設定されていても、端末装置はＮＡＩＣＳアシスト情報に基づいて干渉信号を除去または抑圧しないとすることができる。このとき、ＮＡＩＣＳアシスト情報に基づいて、干渉信号のパラメータをブラインド検出しないため、端末装置の演算量を低減できる。
【０１２７】
また、サービングセルから送信される下りリンク制御情報に含まれるレイヤ数が２で、コードワード数が１の場合、端末装置はＭＵ−ＭＩＭＯを想定しない。つまり、サービングセルの物理セルＩＤとは異なる物理セルＩＤに関するＮＡＩＣＳアシスト情報に基づいて干渉信号を除去または抑圧する。この場合、サービングセルの物理セルＩＤと同じ物理セルＩＤに関するＮＡＩＣＳアシスト情報を候補から除外することができるので、端末装置の演算量を低減することができる。
【０１２８】
また、サービングセルから送信される下りリンク制御情報に含まれるレイヤ数が３以上の場合、端末装置はＭＵ−ＭＩＭＯを想定せず、さらに端末装置はＮＡＩＣＳアシスト情報に基づいて干渉信号を除去または抑圧しないから、端末装置の演算量を低減できる。
【０１２９】
また、サービングセルの物理セルＩＤとＮＡＩＣＳアシスト情報に関連付けられる物理セルＩＤが同じ場合、端末装置は、ＮＡＩＣＳアシスト情報に含まれる送信モードのうち、ＴＭ１、ＴＭ２、ＴＭ３、ＴＭ４、ＴＭ６は想定しない。つまり、そのＮＡＩＣＳアシスト情報に含まれる送信モードからＤＭＲＳ−ｂａｓｅｄの送信モードに限定する。ＤＭＲＳ−ｂａｓｅｄの送信モードは、例えば、ＴＭ  ８／９／１０である。この場合、端末装置は、アンテナポート番号を７もしくは８の干渉信号に制限することができる。
【０１３０】
また、サービングセルの物理セルＩＤとＮＡＩＣＳアシスト情報に関連付けられる物理セルＩＤが同じ場合、端末装置は、ＭＵ−ＭＩＭＯを想定して干渉信号を除去または抑圧する。この場合、端末装置は、干渉信号のアンテナポート番号を７もしくは８と想定してブラインド検出することができる。
【０１３１】
また、端末装置が、ＭＵ−ＭＩＭＯされていることを判断できれば、ＭＵ−ＭＩＭＯを想定して干渉信号を除去または抑圧できる。端末装置が、ＭＵ−ＭＩＭＯされていることを判断した場合、少なくともセル固有のパラメータについてはブラインド検出する必要はなく、端末装置の演算量を低減できる。セル固有のパラメータとは、例えば、ＱＣＬ情報、ＺＰ／ＮＺＰ  ＣＳＩ−ＲＳ構成、ＰＤＳＣＨスタート位置、ＴＤＤ  ＵＬ／ＤＬ  構成などである。
【０１３２】
端末装置が、ＭＵ−ＭＩＭＯされているかどうかを判断する方法としては、例えば、干渉信号のパラメータの一部をブラインド検出して、端末装置はＭＵ−ＭＩＭＯされていることを知ることができる。端末装置が、ＭＵ−ＭＩＭＯがどうかを判断するために必要なパラメータは、セル間干渉を除去または抑圧する場合と比較すると少ないため、ＭＵ−ＭＩＭＯであると判断できた場合には、演算量を削減できる。
【０１３３】
例えば、端末装置は、ＰＤＳＣＨに関連付けられる端末固有参照信号（UE-specific Reference signal）に対応する擬似ランダム系列の初期値から判断可能である。ＰＤＳＣＨに関連付けられる端末固有参照信号に対応する擬似ランダム系列の初期値cinitは次式（１）で表される。
【０１３４】
【数１】
2017183761.tif 000003
【０１３５】
ただし、ｎｓは無線フレーム内のスロット番号を表す。ｎID（ｉ）、（ｉ＝０，１）は、上位層で仮想セルＩＤが与えられていない、もしくは、ＰＤＳＣＨ送信に関連付けられているＤＣＩに対して、ＤＣＩフォーマット１Ａ／２Ｂ／２Ｃが用いられている場合、物理セルＩＤとなる。それ以外の場合、ｎID（ｉ）は、対応するスクランブルアイデンティティの仮想セルＩＤとなる。なお、擬似ランダム系列の初期値を構成する変数のうち、ｎID（ｉ）を第１の変数とも呼ぶ。
【０１３６】
端末装置は、サービングセルのＰＤＳＣＨに関連付けられる端末固有参照信号に対応する擬似ランダム系列の初期値を構成する第１の変数の値と、ＮＡＩＣＳアシスト情報に基づいて想定されるＰＤＳＣＨに関連付けられる端末固有参照信号に対応する擬似ランダム系列の初期値を構成する第１の変数の値が同じ場合、ＭＵ−ＭＩＭＯを想定して干渉信号を除去または抑圧することができる。
【０１３７】
また、端末装置は、サービングセルのＰＤＳＣＨに関連付けられる端末固有参照信号に対応する擬似ランダム系列の初期値と、ＮＡＩＣＳアシスト情報に基づいて想定されるＰＤＳＣＨに関連付けられる端末固有参照信号に対応する擬似ランダム系列の初期値が同じであった場合、ＭＵ−ＭＩＭＯを想定して干渉信号を除去または抑圧することができる。
【０１３８】
また、端末装置は，自端末装置の送信モードがＴＭ１０で、上位層で仮想セルＩＤが設定されていない場合で、ＮＡＩＣＳアシスト情報に基づいて想定されるＰＤＳＣＨに関連付けられる端末固有参照信号に対応する擬似ランダム系列の初期値を構成する第１の変数が、サービングセルの物理セルＩＤと同じ場合、端末装置は、ＭＵ−ＭＩＭＯを想定して干渉信号を除去または抑圧することができる。
【０１３９】
端末装置が、ＭＵ−ＭＩＭＯされているかどうかを判断する別の方法は、ＭＵ−ＭＩＭＯされていること、もしくは、セル内干渉であることを示す情報を基地局装置が端末装置に送信することで、端末装置はＭＵ−ＭＩＭＯされていることが知ることができる。基地局装置は、上位層の信号又は物理層の信号（例えば、下りリンク制御情報）を用いて、端末装置にＭＵ−ＭＩＭＯされているかどうかをシグナリングすることができる。
【０１４０】
基地局装置が、上位層の信号で端末装置にシグナリングする場合、基地局装置は、セル間干渉に対応するＮＡＩＣＳアシスト情報及び／又はＭＵ−ＭＩＭＯに対応するＮＡＩＣＳアシスト情報が個別に設定される。この場合、端末装置は、セル間干渉及び／又はＭＵ−ＭＩＭＯに対応するＮＡＩＣＳアシスト情報に基づいて、干渉信号を除去または抑圧する。
【０１４１】
基地局装置が、物理層の信号で、ＭＵ−ＭＩＭＯされているかどうかを端末装置にシグナリングする場合で、自端末装置の送信モードがＴＭ８／９の場合、もしくはＴＭ１０で仮想セルＩＤが設定されていない場合、ＭＵ−ＭＩＭＯであることを想定して、干渉信号のパラメータをブラインド検出する。ＭＵ−ＭＩＭＯをする場合、ユーザ間で、アンテナポートが異なる場合、スクランブリングアイデンティティが異なる場合、アンテナポート及びスクランブリングアイデンティティが異なる場合に限られるため、特にアシスト情報がなくてもブラインド検出が可能である。従って、例えば、基地局装置から、物理層の信号で、ＭＵ−ＭＩＭＯされているかどうかを示す１ビットのシグナリングがあれば、端末装置は、ＮＡＩＣＳアシスト情報が設定されていなくても、ユーザ間干渉を除去または抑圧することができる。
【０１４２】
また、基地局装置が、物理層の信号で、ＭＵ−ＭＩＭＯされているかどうかを端末装置にシグナリングする場合で、自端末装置の送信モードがＴＭ１０で仮想セルＩＤが設定されている場合、端末装置は、干渉信号もＴＭ１０で仮想セルＩＤが設定されていると想定し、その他のパラメータをブラインド検出することができる。言い換えると、自端末装置宛のＰＤＳＣＨに関連付けられた端末固有参照信号の擬似ランダム系列の初期値を構成する第１の変数と、干渉信号のＰＤＳＣＨに関連付けられた端末固有参照信号の擬似ランダム系列の初期値を構成する第１の変数が同じであると想定することができる。
【０１４３】
また、端末装置は、非直交アクセスされているかどうかを判断することができれば、非直交アクセスを想定して干渉信号を除去または抑圧することができる。例えば、多重されている端末装置間で、異なる送信電力が割当てられている場合、自端末装置宛の信号の送信電力よりも干渉信号の送信電力の方が大きい場合は、ＮＡＩＣＳによる干渉信号の除去または抑圧が必要なため、端末装置は干渉信号に設定されているパラメータを検出しなければならない。一方、自端末装置宛の信号の送信電力よりも干渉信号の送信電力の方が小さい場合は、ＮＡＩＣＳによる干渉信号の除去または抑圧は必ずしも必要ないため、干渉信号に設定されているパラメータを検出しなくてもよい。この場合、端末装置の演算量を低減することができる。
【０１４４】
端末装置が、非直交アクセスされているかどうかを判断するためには、例えば、基地局装置は、非直交アクセスに対応する送信モード、もしくは、非直交アクセスに対応するＤＣＩフォーマットで通信することができる。非直交アクセスに対応するＤＣＩフォーマットには、少なくとも電力制御に関する情報を含む。電力制御に関する情報とは、例えば、自端末装置宛の送信電力と干渉信号の送信電力の電力差、干渉信号の電力制御情報である。干渉信号の電力制御情報は、既定の電力オフセット値が設定されており、その正負を１ビットでシグナリングすることができる。
【０１４５】
また、端末装置が、非直交アクセスされているかどうかを判断するためには、干渉信号の電力制御情報をブラインド検出によって判断することができる。このブラインド検出は、電力制御に関するアシスト情報に基づいて行われても良い。ブラインド検出によって判断する場合、端末装置は、ＭＵ−ＭＩＭＯと判断できる条件を満たし、自端末装置宛の信号に設定されているＰＡと干渉信号に設定されているＰＡを比較し、自端末装置宛の信号に設定されているＰＡが干渉信号に設定されているＰＡと比較して大きい場合、ＮＡＩＣＳによる干渉信号の除去または抑圧は行わない。一方、自端末装置宛の信号に設定されているＰＡが干渉信号に設定されているＰＡと比較して小さい場合、ＮＡＩＣＳによる干渉信号の除去または抑圧を行う。
【０１４６】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１Ａに送信する。
【０１４７】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１４８】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１４９】
上りリンク参照信号生成部２０３３は、基地局装置１Ａを識別するための物理セル識別子、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１５０】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１５１】
無線送信部２０３５は、多重された信号を逆高速フーリエ変換（Inverse Fast Fourier Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１５２】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１５３】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【０１５４】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１５５】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０１５６】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１５７】
本発明は、端末装置、基地局装置および通信方法に用いて好適である。
【符号の説明】
【０１５８】
１Ａ、１Ｂ  基地局装置
２Ａ、２Ｂ、２Ｃ  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2017183761.tif 000004
【図２】
2017183761.tif 000005
【図３】
2017183761.tif 000006